(57)【要約】【課題】本考案は、被介護者の親指の状態が手袋内で異変を生じないように、親指の保護を図るとともに、手袋の脱落の防止も図れるようにした介護用手袋装置を提供することを課題とする。【解決手段】先端部に親指のみを覆うための第１被覆部１と親指以外の他の４本の指をまとめて覆うための第２被覆部２とを二股状に具えるとももに、根元部に手の挿入口３を具えており、第１被覆部１の根元付近に基端部５ａを固着されたテープ状拘束帯５が設けられている。拘束帯５は、その基端部５ａの上面と同拘束帯５の先端部５ｂとの間に面ファスナー６を具えており、同拘束帯５の長さは、その基端部５ａから手袋４の甲側外面に添う巻き付けられながら小指根元付近の外側および掌を経由するとともに、第１被覆部１と第２被覆部２との境界部分７を経由して再び手袋４の甲側外面を通り手首内側に添うように巻き付けられて基端部５ａに戻ることの可能な長さに設定されている。【選択図】  図１
0003111063.tif 000002
【実用新案登録請求の範囲】
【請求項１】
根元部に手の挿入口を具えるとともに、先端部に親指のみを覆うための第１被覆部と親指以外の他の指をまとめて覆うための第２被覆部とを具えた手袋において、上記第１被覆部の根元付近に基端部を固着されたテープ状拘束帯を具え、同拘束帯の基端部上面と同拘束帯の先端部との間に着脱部材が設けられるとともに、同拘束帯の長さが、上記基端部から上記手袋の甲側外面に添い巻き付けられながら小指根元付近の外側および掌を経由するとともに上記の第１被覆部と第２被覆部との境界部分を経由して再び上記手袋の甲側外面を通り手首内側に添うように巻き付けられて上記基端部に戻ることの可能な長さに設定されていることを特徴とする、介護用手袋装置。
【請求項２】
上記手袋の根元部に連係して手首の周囲に巻き付けられる帯状シートが設けられて、同帯状シートの両端縁部を相互に離接可能にしたファスナーを具え、上記帯状シートに、同帯状シートをベッド縁部に拘束するための紐が装着されたことを特徴とする、請求項１に記載の介護用手袋装置。
【考案の詳細な説明】
【技術分野】
【０００１】
本考案は、ベッドに寝たまま長期にわたり介護を受けている人々（以下、被介護者という。）のための介護用手袋装置に関する。
【背景技術】
【０００２】
従来の介護用手袋としては図４に示すようなものがあり、根元部に手の挿入口ａを具えるとともに、先端部に親指のみを覆うための第１被覆部ｂと、親指以外の他の指をまとめて覆うための第２被覆部ｃとを具えて構成されており、その手の甲を覆う部分には通気用の網目状部分ｄが形成されている。
ところで、上述のような従来の介護用手袋では、被介護者が長期にわたって使用していると、親指の状態に異変を生じ、図５に示すとごく、人差指ｅの内側へ親指ｆが入り込んだ状態で固まってしまうという不具合がある。
また、手袋の使用中に被介護者が手袋を寝具等に摺り付ける動作を繰り返すと、手袋が脱落するという場合もある。
【特許文献１】特開２００１−７３２０９号公報
【考案の開示】
【考案が解決しようとする課題】
【０００３】
本考案は、被介護者の親指の状態が手袋内で異変を生じないように、親指の保護を図るとともに、手袋の脱落の防止も図れるようにした介護用手袋装置を提供することを課題とする。
【課題を解決するための手段】
【０００４】
前述の課題を解決するため、本考案の介護用手袋装置は、根元部に手の挿入口を具えるとともに、先端部に親指のみを覆うための第１被覆部と親指以外の他の指をまとめて覆うための第２被覆部とを具えた手袋において、上記第１被覆部の根元付近に基端部を固着されたテープ状拘束帯を具え、同拘束帯の基端部上面と同拘束帯の先端部との間に着脱部材が設けられるとともに、同拘束帯の長さが、上記基端部から上記手袋の甲側外面に添い巻き付けられながら小指根元付近の外側および掌を経由するとともに上記の第１被覆部と第２被覆部との境界部分を経由して再び上記手袋の甲側外面を通り手首内側に添うように巻き付けられて上記基端部に戻ることの可能な長さに設定されていることを特徴としている。
【０００５】
また、本考案の介護用手袋装置は、上記手袋の根元部に連係して手首の周囲に巻き付けられる帯状シートが設けられて、同帯状シートの両端縁部を相互に離接可能にしたファスナーを具え、上記帯状シートに、同帯状シートをベッド縁部に拘束するための紐が装着されたことを特徴としている。
【考案の効果】
【０００６】
上述の本考案の介護用手袋装置では、親指のみを覆う第１被覆部の根元付近に基端部を固着されたテープ状拘束帯が、上記基端部から手袋の甲側外面に添い巻き付けられながら小指根元付近の外側および掌を経由するとともに、上記の第１被覆部と第２被覆部との境界部分を経由してから、再び上記手袋の甲側外面を通り手首内側に添うように巻き付けられて上記基端部に戻れる長さを有して、同拘束帯の先端部が同拘束帯の基端部に面ファスナーのごとき着脱部材で固着されるので、被介護者の手に対する手袋の装着が上記テープ状拘束帯により確実に行われて、その脱落が防止されるとともに、上記テープ状拘束帯が親指のみを覆う第１被覆部と親指以外の他の指をまとめて覆う第２被覆部との境界部分を経由することにより被介護者の親指が手の内側へ入り込む状態のまま固定されるのを十分に予防することが可能になる。
【０００７】
また、上記手袋の根元部に連係して手首の周囲に巻き付けられる帯状シートが、その両端縁部を相互に離接可能にしたファスナーを具えることにより、手首への上記帯状シートの装着が確実に行われるので、同帯状シートに連係した上記手袋の脱落も十分に防止されるようになる。
【０００８】
そして、上記帯状シートに装着された紐で上記帯状シートがベッド縁部に拘束されることにより、被介護者の手の動きも拘束されるので、被介護者の手の動きに伴う点滴等の器具の脱落事故も防止できるようになる。
【実施例】
【０００９】
図１は本考案の一実施例としての介護用手袋装置の使用状態を示す斜視図、図２はその帯状シートを取外して示す斜視図、図３は図２の帯状シートのファスナーを分離状態にして示す説明図である。
図１に示すように、先端部に親指のみを覆うための第１被覆部１と親指以外の他の４本の指をまとめて覆うための第２被覆部２とを二股状に具えるとももに、根元部に手の挿入口３を具えた手袋４において、第１被覆部１の根元付近に基端部５ａを固着されたテープ状拘束帯５が設けられている。
【００１０】
拘束帯５は、その基端部５ａの上面と同拘束帯５の先端部５ｂとの間に面ファスナー（あるいはホックまたはボタン）６を具えており、同拘束帯５の長さは、その基端部５ａから手袋４の甲側外面に添い巻き付けられながら小指根元付近の外側および掌を経由するとともに、第１被覆部１と第２被覆部２との境界部分７を経由して再び手袋４の甲側外面を通り手首内側に添うように巻き付けられて基端部５ａに戻ることの可能な長さに設定されている。
なお、拘束帯５の長さは、その材質が伸縮性のゴムテープの場合、その実寸法をかなり短縮することができる。
【００１１】
本実施例では、さらに手袋４の根元部に連係して手首の周囲に巻き付けられる帯状シート８が設けられており、同帯状シート８の上縁に取り付けられた一対の環状紐９，９が、手袋４に装着された一対のボタン10，10にそれぞれ係合するように構成されている。
【００１２】
帯状シート８は、図２および図３に示すように、ファスナー11を介して環状に閉じられたり偏平に開かれたりできるように構成されており、その使用状態では、図１および図２に示すように、ファスナー11の基端部と終端部とに設けられたスナップ12ａ，12ｂにてリング状に閉じられ、このようにして被介護者がファスナー11の操作用ツマミ11ａに触れるのを防止できるようになっている。
【００１３】
また、図２に示すように、帯状シート８の両端部８ａ，８ｂには、図示しないベッドの縁部へ固縛するための紐13ａ，13ｂが取付けられている。
【００１４】
上述の本実施例の介護用手袋装置では、手袋４の親指のみを覆う第１被覆部１の根元付近に基端部５ａを固着されたテープ状拘束帯５が、基端部５ａから手袋４の甲側外面に添い巻き付けられながら小指根元付近の外側および掌を経由するとともに、第１被覆部１と第２被覆部２との境界部分７を経由してから、再び手袋４の甲側外面を通り手首内側に添うように巻き付けられて、その先端部５ｂが基端部５ａに戻れる長さを有して、同拘束帯５の先端部５ｂが同拘束帯５の基端部５ａに面ファスナーのごとき着脱部材６で固着されるので、被介護者の手に対する手袋４の装着がテープ状拘束帯５により確実に行われて、手袋４の脱落が防止されるとともに、テープ状拘束帯５が親指のみを覆う第１被覆部１と親指以外の他の指をまとめて覆う第２被覆部２との境界部分７を経由することにより被介護者の親指が手の内側へ入り込む状態のまま固定されるのを十分に予防することが可能になる。
【００１５】
また、手袋４の根元部に連係して手首の周囲に巻き付けられる帯状シート８が、その両端縁部８ａ，８ｂを相互に離接可能にしたファスナーを具えることにより、手首への帯状シート８の装着が確実に行われるので、同帯状シート８に連係した手袋４の脱落も十分に防止されるようになる。
【００１６】
そして、帯状シート８に装着された紐12ａ，12ｂで、帯状シート８がベッド縁部に拘束されることにより、被介護者の手の動きも拘束されるので、被介護者の手の動きに伴う点滴等の器具の脱落事故も防止できるようになる。
【図面の簡単な説明】
【００１７】
【図１】本考案の一実施例としての介護用手袋装置の使用状態を示す斜視図である。
【図２】図１の介護用手袋装置における帯状シートを取外して示す斜視図である。
【図３】図２の帯状シートのファスナーを分離状態にして示す説明図である。
【図４】従来の介護用手袋の一例を示す説明図である。
【図５】手袋の常用により親指の状態に異変を生じた場合を示す説明図である。
【符号の説明】
【００１８】
１  第１被覆部
２  第２被覆部
３  挿入口
４  手袋
５  拘束帯
５ａ  拘束帯基端部
５ｂ  拘束帯先端部
６  面ファスー
７  境界部分
８  帯状シート
８ａ，８ｂ  帯状シート端部
９  環状紐
10  ボタン
11  ファスナー
11ａ  操作用ツマミ
12ａ，12ｂ  スナップ
13ａ，13ｂ  紐
【図１】
0003111063.tif 000003
【図２】
0003111063.tif 000004
【図３】
0003111063.tif 000005
【図４】
0003111063.tif 000006
【図５】
0003111063.tif 000007